(57)【要約】【課題】  使いやすい開封時期記録用暦を提供する。【解決手段】  各時期区分に分割した暦と、その時期区分毎に開封のメッセージを記入した下段シールを、同数の上段シールで開封のメッセージをカバーする。この二段構造シールと、各時期区分と同数のミシン目を入れたパッケージを組み合わせ開封と同時に開封時期を記録出来る事を特徴とする。【選択図】  図５
0003115691.tif 000002
【実用新案登録請求の範囲】
【請求項１】
暦を時期毎に複数個に分離した部分（１０）と、同数の開封を意味するメッセージ記載部分（１１）から成る下段シールに、同数の開封メッセージカバー部分（１２）から成る上段シールを重ね開封のメッセージを隠す。単数の上段シール部分を剥離する事により開封時期を記録する事を特徴とする剥離型二段構造シール暦。
【請求項２】
図３に示すように暦を記載した下段シールを時期毎に複数個に分離し、図４に示すような開封を表示する単数のシールで、開封時期を記録する事を特徴とする貼り付け型二段構造シール暦
【請求項３】
商品に貼られた請求項１の二段構造シールを、各分離部分と同数のミシン目を入れたパッケージ（４）で包装し、開封と同時に開封時期が記録される事を特徴とするパッケージ利用型開封記録暦
【請求項４】
商品パッケージの一部に請求項１又は請求項２の下段シールに各時期区分毎に切り取り線をつけたシールＣ（９）を付け開封時に該当する部分を切り取り商品に貼ることで、開封時期を記録する事を特徴とする暦。
【考案の詳細な説明】
【技術分野】
【０００１】本考案は、商品を開封した時期を明確かつ簡単に記録する為の暦に関するものである。
【背景技術】
【０００２】  従来、牛乳パックに暦を記録し該当する数字にシールを貼る、又はシールにタグの付いた１０個以上の数字を記録し該当数字の上のタグを剥がすことにより、開封日を記録する暦はあった。
【考案の開示】
【考案が解決しようとする課題】
【０００３】従来の方法つまり牛乳パックに直接記録された数字にシールを貼る方法では、牛乳の開封日を強制するような印象を消費者に与え商品のイメージダウンになりかねない。又シールに記載された数字上部分のタグを剥がす事により開封日を記録する方法では、シールに数字のみを羅列する事により見難く、商品に貼るシールが大きくなり使いにくい。本考案は、これらの欠点を除くためになされたものである。又、より簡単に記録するために開封と同時に開封時期を記録出来る手段を考案する。
【課題を解決するための手段】
【０００４】  暦を時期毎に複数個に分離した部分と、同数の開封を意味するメッセージ記載部分から成る下段シールに、同数の開封メッセージカバー部分から成る上段シールを重ね開封のメッセージを隠す。単数の上段シール部分を剥離する事により開封時期を記録する【０００５】  暦を記載した下段シールを時期毎に複数個に分離し、開封を表示する単数のシールで、開封時期を記録する。【０００６】  剥離型二段構造シールを商品の開封部分に貼り、各分離部分と同数のミシン目を入れたパッケージで包装する。該当する時期部分の上段シールを剥がす事により、パッケージのミシン目も切れ開封と同時に開封時期が記録される。【０００７】  商品パッケージの開封部分に剥離型又は貼り付け型二段シールの下段シールを付け、開封時期に該当する部分を切り取り、商品に貼ることで、開封時期を記録する事を特徴とする暦。
【考案の効果】
【０００８】  数字の羅列ではなく、シールを剥がすことにより開封のメセージが表示され一目で判りやすい。【０００９】  商品に直接数字を羅列すると、開封日の記録を義務付けるような印象を消費者に与えるが、商品のイメージダウンになる場合も想定される商品も存在する。このような商品には、消費者が、開封時期記録用暦シールを購入し自分で、開封時期を記録出来る。数字の羅列ではなく、シールを貼ることにより開封のメセージが表示され一目で判りやすい。【００１０】  開封と同時に開封時期が記録出来る。【００１１】  シールの必要部分のみで、開封と同時に開封時期が記録出来るので、商品に貼るシールは小さくてすむ。又、商品に暦を記載するのではなく、パッケージに暦を付けることにより開封時期の記録を必要としない消費者は、パッケージと共に廃棄出来る。
【考案を実施する為の最良の形態】
【００１２】  剥離型二段構造シールを商品の開封部分に貼り、各時期部分と同数のミシン目を入れたパッケージで包装する。該当する時期部分の上段シールを剥がす事により、パッケージのミシン目も切れ開封と同時に開封時期が記録される。
【実施例】
【００１３】  以下、本発明の実施の形態について図に基づいて説明する。図１に示すように、シールに暦を記載し時期毎に分離し、同数の開封を意味するメッセージを記載し下段シールＡとする。図２に示す上段シール剥離型を、図１の重なり線（１）に沿って下段シールに貼る。開封時は、該当部分の上段シールを剥がす。上段シール剥離型に、暦を記載し下段シールＡの暦部分（１０）をカバーしてもよい。【００１４】    図３に示すように下段シールＢに図４に示すような上段シール貼り付け型を添付する。【００１５】  開封時に開封時期が記録される為の手段として、図５に示すように、二段シール剥離型（３）の上段シールを剥がすことによりパッケージ（４）が、剥がれるようにパッケージ（４）に上段シールと同数のミシン目Ａ（５）を入れ、二段シール剥離型（３）に少し被さるようにパッケージ（４）で包装する。開封する時は、開封時期に該当する上段シールを剥がしながら、パッケージのミシン目Ａ（５）を剥がすことが出来る。【００１６】  図７に示すようにパッケージ開封部分（８）にシールＣ（９）を付け、開封時に該当シール剥がし商品に貼る。シールＣ（９）は、下段シールＡ（図１）又は下段シールＢ（図２）の時期区分毎に切り取り線を入れたものである。【００１７】  本考案は、上述の如き構成からなるものであるから各商品の必要に応じた開封時記録暦を利用する事により、商品の保存期間を管理できる。
【図面の簡単な説明】
【００１８】
【図１】  本考案の下段シールＡの実施例を示す平面図である。
【図２】  本考案の上段シール剥離型の実施例を示す平面図である。
【図３】  本考案の下段シールＢの実施例を示す平面図である。
【図４】  本考案の上段シール貼り付け型の実施例を示す平面図である。
【図５】  本考案のパッケージ利用の実施例を示す斜視図である。
【図６】  本考案のパッケージ利用の実施例を示す部分拡大側面図である。
【図７】  本考案のパッケージ利用の他の実施例を示す側面図である。
【符号の説明】
【００１９】  １  重なり線
２  切り取り線Ａ
３  二段シール
４  パッケージ
５  ミシン目Ａ
６  上段シール剥離型
７  下段シールＡ
８  パッケージ開封部分
９  シールＣ
１０暦の時期部分
１１開封メセージ記載部分
１２開封メセージカバー部分
１３商品
【図１】
0003115691.tif 000003
【図２】
0003115691.tif 000004
【図３】
0003115691.tif 000005
【図４】
0003115691.tif 000006
【図５】
0003115691.tif 000007
【図６】
0003115691.tif 000008
【図７】
0003115691.tif 000009
【手続補正書】
【提出日】平成16年12月19日(2004.12.19)
【手続補正１】
【補正対象書類名】実用新案登録請求の範囲
【補正対象項目名】全文
【補正方法】変更
【補正の内容】
【実用新案登録請求の範囲】
【請求項１】
時期毎に区分された暦と、同数の開封を意味するメッセージを記載した下段シールに、同数に分離された上段シールを重ね、単数の上段シールを剥離する事により、開封時期を記録する事を特徴とする剥離型二段構造シール暦。
【請求項２】
時期毎に区分された暦を下段シールとし、開封を意味する単数の上段シールを下段シールの開封時期に貼って、開封時期を記録した事を特徴とする貼り付け型二段構造シール。
【請求項３】
商品に貼られた請求項１の二段構造シールを、各分離部分と同数のミシン目を入れたパッケージで包装し、開封と同時に開封時期が記録される事を特徴とするパッケージ利用型開封記録暦。
【請求項４】
商品パッケージの一部に請求項１又は請求項２の下段シールを時期区分毎に取れるようにして、開封時期に該当する部分を取り商品に貼ることで、開封時期を記録する事を特徴とする暦。
【手続補正書】
【提出日】平成17年7月17日(2005.7.17)
【手続補正１】
【補正対象書類名】実用新案登録請求の範囲
【補正対象項目名】全文
【補正方法】変更
【補正の内容】
【実用新案登録請求の範囲】
【請求項１】
時期毎に区分された暦と、同数の開封を意味するメッセージを記載した下段シールに、同数に分離された上段シールを重ね、単数の上段シールを剥離する事により、開封時期を記録する事を特徴とする剥離型二段構造シール暦。
【請求項２】
時期毎に区分された暦を下段シールとし、開封を意味する単数のシールで開封時期を記録した事を特徴とする貼り付け型二段構造シール。
【請求項３】
商品に貼られた請求項１の二段構造シールを、各分離部分と同数のミシン目を入れたパッケージで包装し、開封と同時に開封時期が記録される事を特徴とするパッケージ利用型開封記録シール暦。
【請求項４】
商品パッケージの一部に請求項１又は請求項２の下段シールを時期区分毎に取れるようにして、開封時期に該当する部分を取り商品に貼ることで、開封時期を記録する事を特徴とするシール暦。